(57)【要約】【課題】  プラグ挿入孔に挿入されたプラグのスリーブ電極に電気的に接続するスリーブバネに改良を加えて多極ジャックのジャックハウジングを小型化すること。【解決手段】  ４極ジャックを、ハウジング本体１ａ及びその先端のスリーブ部１ｂからなるジャックハウジング１と、プラグ挿入孔２に挿入されたプラグｐのスリーブ電極に接触するスリーブバネ６、チップ電極に接触するチップバネ３、リング電極に接触するリングバネ４及び第２スリーブ電極に接触する第２スリーブバネ５とで構成し、スリーブバネ６のアーム状バネ片６ｃを基部６ａのスリーブ部１ｂ側に位置する部分の上端から立ち上げ、かつスリーブ部１ｂの上部に形成したアーム収納溝１ｂ１に収納しつつ他側上部まで延長し、その先端の接触部６ｄを導入口１ｂ２を通じてプラグ挿入孔２内に進退自在に臨ませる。【選択図】  図２
2005268067.tif 000002
【特許請求の範囲】
【請求項１】
ハウジング本体及びその先端側に位置する筒状のスリーブ部からなり、該スリーブ部の先端にプラグ挿入孔を開口したジャックハウジングと、少なくとも前記プラグ挿入孔に挿入されたプラグのスリーブ電極に接触する部位に接触部を臨ませたスリーブバネ及び他の各電極に接触する部位に接触部を臨ませた所要数のバネ状接片とで構成した多極ジャックに於いて、
前記スリーブバネが、その基部を前記ハウジング本体の前側部からスリーブ部の側部にかけて配し、該基部の該スリーブ部側からアーム状バネ片を立ち上げて反対側側部上に延長し、その先端の接触部を該反対側側部上から前記プラグ挿入孔内に臨ませて構成したものである多極ジャック。
【請求項２】
前記アーム状バネ片が、前記スリーブ部の上部に周方向に沿って形成したアーム収納溝中を前記基部から該スリーブ部の反対側の側上部まで延長し、かつ該反対側の側上部に開口した導入口から先端の接触部をプラグ挿入孔内に弾性後退可能に臨ませたものである請求項１の多極ジャック。
【発明の詳細な説明】
【技術分野】
【０００１】
本発明は、主としてテープレコーダやラジオ受信機その他のオーディオ機器で音声信号及び各種の制御信号の授受のために使用される多極ジャックに関する。
【背景技術】
【０００２】
この種の多極ジャックには、３極、４極及び６極のそれがあるが、それぞれ同極数のプラグに対応する構成となっている。例えば、４極のジャックは、同極数のプラグに対応し、チップバネ、リングバネ及び二つのスリーブバネからなる４種のバネ状接片と、プラグを挿入する挿入孔とを備え、前記各バネ状接片を、それらの各接触部を該挿入孔の対応するプラグとの接触部位に臨ませつつ支持するハウジングとで構成されるものである。前記３極のジャックは、当然、同極数であり、かつ前記４極のプラグよりスリーブ電極の数が一つ少ないプラグに対応し、スリーブバネが一つだけで構成されたものである。他の構成は４極のジャックとほぼ同様である。また前記６極のジャックは、これも当然同極数であり、かつ前記４極のプラグの外側に二つの接点リングが追加された構成のプラグに対応し、前記４極のジャックのハウジングの外周に二つの接触バネが追加された構成のものである（特許文献１、特許文献２）。
【０００３】
これらの多極ジャックは、従来、特にそのプラグ挿入孔内に接触部を臨ませる複数のバネ状接片をいずれもハウジング本体に配し、その接触部を前記該当部位に延長する構成となっている（特許文献１、特許文献２）。３極のジャックでは３本のバネ状接片をハウジング本体の上下左右の内の３面にそれぞれ配し、４極以上のジャックでは４本のバネ状接片をハウジング本体の上下左右の４面にそれぞれ配置し、例えば、その内、チップバネはハウジング本体の前端側に基部を配してその接触部をプラグ挿入孔内後方の該当する部位まで延長する構成とし、その他のバネ状接片はハウジング本体の後端側に基部を配してその接触部をプラグ挿入孔内の前方の該当する部位までそれぞれ延長する構成としている。いずれにしても、以上のバネ状接片は全てハウジング本体内に配されるため、ハウジング本体が大きくかつ厚くなってしまうことは避けられない。
【０００４】
なお、３極のジャックには、以上とは異なり、プラグ側とインピーダンス整合を取る趣旨から、そのスリーブターミナルに、プラグ挿入孔に挿入されたプラグのスリーブ電極を抱える態様に一対の湾曲バネ片を配した構成のものが提案されている（特許文献３）。これは、水平板部及びその両側から垂下する側板部からなる門型のターミナル本体と、その水平板部の両側の一部及び両側板部の一部を切り起こして、該水平板部の両側から延長した状態に形成した一対の湾曲バネ片とからなり、該一対の湾曲バネ片は、この二つで該門型のスリーブターミナル本体の内側で円筒状のスリーブ接触筒部を形成すべく、その先端相互を近接突き合わせ状態に折曲形成したものである。
【０００５】
このスリーブターミナルは、ハウジング本体の前端上部及び両側に形成した位置決め溝にその門型のターミナル本体を装入し、上部の水平板部の両側に配した一対の湾曲バネ片を、該位置決め溝中の上部に開口した窓孔を通じてターミナル本体中のプラグ挿入孔中に装入し、その周壁に沿って配したものである。
【０００６】
この３極のジャックは、スリーブターミナルを以上のように構成したため、プラグ側とインピーダンスの整合性が取れる利点を有するもので、優れたものであるが、やはりハウジング本体の構成が大型となり、これを薄く小さくしたいという要望には応え難いものと言わざるを得ない。特に４極以上のジャックでは、スリーブターミナルをハウジング本体に前記のように配するのは、バネ状接片の数との関係から困難である。
【０００７】
【特許文献１】特開平８−１３８８０７号公報
【特許文献２】特開２００２−１１７９４６号公報
【特許文献３】特許第３４２２４８５号公報
【発明の開示】
【発明が解決しようとする課題】
【０００８】
本発明は、プラグ挿入孔に挿入されたプラグのスリーブ電極に電気的に接続するスリーブバネに関して改良を加えることにより、ジャックハウジングを小型化した多極ジャックを提供することを課題とするものである。
【課題を解決するための手段】
【０００９】
本発明の１は、ハウジング本体及びその先端側に位置する筒状のスリーブ部からなり、該スリーブ部の先端にプラグ挿入孔を開口したジャックハウジングと、少なくとも前記プラグ挿入孔に挿入されたプラグのスリーブ電極に接触する部位に接触部を臨ませたスリーブバネ及び他の各電極に接触する部位に接触部を臨ませた所要数のバネ状接片とで構成した多極ジャックに於いて、
前記スリーブバネが、その基部を前記ハウジング本体の前側部からスリーブ部の側部にかけて配し、該基部の該スリーブ部側からアーム状バネ片を立ち上げて反対側側部上に延長し、その先端の接触部を該反対側側部上から前記プラグ挿入孔内に臨ませて構成したものである多極ジャックである。
【００１０】
本発明の２は、本発明の１の多極ジャックに於いて、前記アーム状バネ片が、前記スリーブ部の上部に周方向に沿って形成したアーム収納溝中を前記基部から該スリーブ部の反対側の側上部まで延長し、かつ該反対側の側上部に開口した導入口から先端の接触部をプラグ挿入孔内に弾性後退可能に臨ませたものとしたものである。
【発明の効果】
【００１１】
本発明の１の多極ジャックによれば、スリーブバネの可動部であるアーム状バネ片及びその先端の接触部を他のバネ状接片の配置に使用されていないスリーブ部側に配したため、一方で、他のバネ状接片との干渉の問題を生じることなく余裕を持って設置可能となり、他方では、ハウジング本体に構成する要素が減少したので、そのコンパクト化が可能となったものである。
【００１２】
プラグ挿入孔内に臨ませた接触部は、ジャックのプラグ挿入孔に挿入されたプラグとの接触の際に弾力的に後退可能である必要があり、その弾力的な後退動作を確保するためにこれを先端に配したアーム状バネ片はある程度の長さが必要となる。このようなアーム状バネ片の長さは、可動部であるこの部位を、前記したように、スリーブ部の側部から立ち上げ、反対側の側上部まで延長する構成によって容易に確保し得ることとなったものである。
【００１３】
本発明の２の多極ジャックによれば、前記アーム状バネ片をスリーブ部の上部に周方向に沿って形成したアーム収納溝中に収納したものであるため、ジャックハウジングの特に厚み方向の寸法の増大化を回避し、その小型化・薄型化を図り得ることとなる。またこのような構成であるため、前記プラグ挿入孔にプラグが挿入され、これに接触した接触部が若干後退動作をした場合に、該アーム状バネ片は、該アーム収納溝の中で対応する後退動作を行うことが可能であり、外部の近接する物品類との干渉問題の発生の虞もない。
【発明を実施するための最良の形態】
【００１４】
本発明は、基本的に、ハウジング本体及びその先端側に位置する筒状のスリーブ部からなり、該スリーブ部の先端にプラグ挿入孔を開口したジャックハウジングと、各々プラグ挿入孔に挿入されたプラグの対応する電極に接触する接触部を備えたスリーブバネを含むバネ状接片とで構成した多極ジャックに於いて
前記スリーブバネを、前記ハウジング本体の前側部からスリーブ部の側部にかけて配した基部と、該基部のスリーブ部側の部位から立ち上げ、反対側側部上まで延長したアーム状バネ片と、該アーム状バネ片の先端に位置し、該反対側側部上から前記プラグ挿入孔内に臨ませて配した接触部とで構成した多極ジャックである。
【００１５】
この多極ジャックは、ハウジング本体の先端側にプラグ挿入孔が開口する筒状のスリーブ部を備えたものであることが適用条件である。またその極数は複数のそれであり、プラグ挿入孔内で、少なくとも、バネ状接片の内、プラグのスリーブ電極に接触するスリーブバネを備えた多極ジャックであれば適用可能である。３極又は４極のジャックの他、ハウジングの外周側に二つの接触バネを配した６極のジャックであっても、プラグ挿入孔内に臨んで配されるバネ状接片に関する条件が同一であれば適用可能である。
【００１６】
もっとも、重要な適用条件は、プラグ挿入孔内にその接触部が臨んで配されるバネ状接片に関するものであり、その観点からは３極又は４極のジャックがより適合性の高い適用対象であり、中でも更に多くのバネ状接片が混み合って小型化が一層困難な４極ジャックがより適合性の高い適用対象であると言うことができる。
【００１７】
前記バネ状接片は、プラグ挿入孔に挿入されたプラグの対応する電極に接触する接触部を備えたバネ材からなる接片部材の全てを称するものであり、そのハウジングへの取付部位、プラグの接触対象電極、その他に応じて、端子、接触部及びアーム状バネ片等から構成されている。該バネ状接片は、具体的には、それぞれの接触部がプラグのチップ電極に接触するチップバネ、リング電極に接触するリングバネ、スリーブ電極に接触するスリーブバネを称し、更に該スリーブ電極とリング電極の間に第２スリーブ電極が構成されている場合は、これに接触する第２スリーブバネも含めてバネ状接片と称している。
【００１８】
本発明では、前記バネ状接片の内、スリーブバネに特徴があり、それ以外のチップバネ及びリングバネ、また第２スリーブバネが構成される場合は、この第２スリーブバネも含めて、それらについては概ね従来の構成を採用することができる。
【００１９】
前記スリーブバネは、前記のように、基本的に、基部と該基部から立ち上げたアーム状バネ片とその先端に配した接触部とからなり、導電性のバネ材で一体に構成したものである。
【００２０】
前記基部は、前記のように、前記ハウジング本体の一方の前側部からその前端のスリーブ部の側部に配設する。ハウジング本体及びスリーブ部に適当なスリット等を形成してこれを該部位に配設することができる。該スリット等への該基部の固定は、例えば、その一部から固定舌片等を切り起こしてこれをスリット側面に押し当てる等によって行うことができる。なお該基部は、そのハウジング本体側に位置する部位の下端付近から端子を引き出しておくのが適当である。これも、当然、基部と一体に構成する。
【００２１】
前記アーム状バネ片は、該基部のスリーブ部側に位置する部位から立ち上げたものであり、概ね該スリーブ部の周側に沿ってその反対側の側部上方まで延長し、その先端の接触部をプラグ挿入孔内に臨ませるものである。該スリーブ部の上部には周方向に沿ってアーム収納溝を形成しておき、該アーム状バネ片は、この中に収納し、これに沿って反対側側部上方まで延長するのが適当である。また該アーム収納溝の反対側上部にはプラグ挿入孔に連通する導入口を開口しておき、前記アーム状バネ片の先端の接触部を該導入口から該プラグ挿入孔内に弾性後退可能に臨ませることとするのが適当である。
【００２２】
なお前記接触部は、前記のように、該アーム状バネ片の先端に構成した、プラグのスリーブ電極に接触して相互を電気的に接続するための部位であり、これに適する種々の構成を自由に採用することができる。例えば、該アーム状バネ片の先端に該プラグのスリーブ電極に対面する側に向かって膨らむ半球状の突部に構成することができる。
【００２３】
従って本発明の多極ジャックによれば、そのプラグ挿入孔に対応する極数のプラグを挿入すると、その先端のチップ電極、二番目のリング電極、該当する場合は、３番目の第２スリーブ電極に、それぞれ対応するチップバネ、リングバネ、第２スリーブバネの接触部がそれらの構成に従った動作をして接触し、更に該プラグの最も基部側のスリーブ電極にスリーブバネの接触部が接触することとなり、云うまでもなく、ジャックとしての基本的な機能である電気的な接続を良好に行うことができる。
【００２４】
以上のように、プラグがプラグ挿入孔に挿入された際に、スリーブバネの接触部は該プラグの当接部位によって外方に押しやられて後退することになるが、該接触部は、基部から延長されたアーム状バネ片の先端に構成されたものであり、かつ該アーム状バネ片はスリーブ部の一方の側上部から他方の側上部まで延長した十分な長さを確保したものであるため、前記の後退動作は弾力的に良好に行われることになる。またこのスリーブバネを適切な弾力性を有するバネ材で構成することにより、該接触部は適切なバネ圧でプラグのスリーブ電極に接することができることとなる。
【００２５】
前記アーム状バネ片は、前記のように、プラグがプラグ挿入孔に挿入されて接触部を後退動作させると、これにともなって外方に後退し、プラグが抜き取られると、そのバネ力によって復帰動作し、その接触部を原位置まで復帰させることになる。こうしてアーム状バネ片はスリーブ部の径方向に若干進退動作することとなるが、その動きは小さいので、これが近接する外部の物品類と干渉を生じるような虞はない。また該スリーブ部にアーム収納溝を形成し、これに該アーム状バネ片を収納した場合は一層その虞は低下する。
【００２６】
また本発明の多極ジャックは、前記のように、そのスリーブバネのアーム状バネ片及びその先端の接触部をジャックハウジングのスリーブ部に配したものであり、ハウジング本体側に配する要素を減少させたため、ハウジング本体の厚み方向或いは幅方向の寸法を低減させ、コンパクトな構成となし得る。前記アーム状バネ片をスリーブ部の上部に周方向に沿って形成したアーム収納溝中に収納する構成を採用した場合には一層ジャックハウジングの小型化・薄型化を図り得ることとなる。
【実施例１】
【００２７】
この実施例は本発明を適用した４極ジャックの例である。
この実施例の４極ジャックは、図１(a)〜(f)及び図２(a)〜(d)に示すように、ジャックハウジング１と、そのプラグ挿入孔２中に各接触部３ｄ、４ｄ、５ｃ、６ｄを臨ませたチップバネ３と、リングバネ４と、第２スリーブバネ５と、スリーブバネ６とで構成したものである。
【００２８】
前記ジャックハウジング１は、図１(a)〜(f)に示すように、概ね直方体状のハウジング本体１ａと、その先端側に突出状態で位置する筒状のスリーブ部１ｂとで構成した構成要素であり、云うまでもなく、絶縁性素材で構成したものである。該スリーブ部１ｂは、先端側の外径が若干大径に構成され、かつその先端に前記プラグ挿入孔２を開口させ、該開口部からプラグｐを挿脱し得るようになっている。
【００２９】
前記スリーブバネ６は、図３(a)〜(f)に示すように、概ね方形板状の基部６ａと、該基部６ａのハウジング本体１ａに配される側（図３(b)中左側）の下端からその面に直角に張り出した端子６ｂと、該基部６ａのスリーブ部１ｂに配される側（図３(b)中右側、(c)中左側）の上端から該端子６ｂと逆方向に張り出したアーム状バネ片６ｃと、該アーム状バネ片６ｃの先端の一部を半球状に膨出させて形成した接触部６ｄと、該基部６ａ中の一部の三方を切り開いて短冊状の部位を形成し、これを前記アーム状バネ片６ｃを張り出した側に斜め上向きに起こして構成した固定舌片６ｅとで構成したものである。なおこのスリーブバネ６は、云うまでもなく、導電性のバネ材で一体に構成したものである。
【００３０】
前記アーム状バネ片６ｃは、図３(a)、(f)に示すように、前記端子６ｂと反対側に張り出し、その先端近傍から斜め下向きに傾けたものであり、後述し、かつ図２(b)に示すように、前記スリーブ部１ｂの一方の側上部（左側上部）から他方の側上部（右側上部）まで、該スリーブ部１ｂのアーム収納溝１ｂ１に収納しながら延長し、その先端を他方の側上部（右側上部）に開口している導入口１ｂ２からプラグ挿入孔２中に挿入可能としてあるものである。前記接触部６ｄは、該プラグ挿入孔２中に挿入されたプラグｐのスリーブ電極に接触すべく、該アーム状バネ片６ｃの先端下面側に膨出する構成となっている。
【００３１】
前記スリーブバネ６は、図１(c)、(e)、(f)及び図２(a)、(b)、(d)に示すように、その基部６ａを、ジャックハウジング１のハウジング本体１ａ及びスリーブ部１ｂの左側部（プラグ挿入孔２を正面に見て左側）に形成したスリット１ａ１、１ｂ３中に挿入して固設する。スリット１ａ１、１ｂ３は各々ハウジング本体１ａ及びスリーブ部１ｂの双方に直立状態に形成したもので、ハウジング本体１ａの一部で側方に開いた構成となっている。該基部６ａの下端に構成してある端子６ｂは該開いた部位の下方から左側方に張り出した状態になる。前記固定舌片６ｅは、このとき、図２(a)、(d)に示すように、該開いた部位で内側のハウジング本体１ａ側の面に圧接状態となり、該基部６ａを該スリット１ａ１、１ｂ３に固設状態とする。
【００３２】
前記アーム状バネ片６ｃは、以上のように、基部６ａがスリット１ａ１、１ｂ３に固設されると、同時に前記スリーブ部１ｂの上部に配された状態となる。他方、図１(e)及び図２(b)に示すように、スリーブ部１ｂの上部には、左側上部から右側上部にかけてアーム収納溝１ｂ１が形成してあり、該アーム収納溝１ｂ１の右側上部には前記プラグ挿入孔２中に連通する導入口１ｂ２が開口させてある。また該アーム収納溝１ｂ１は、その途中から右側の導入口１ｂ２に向かって下向き傾斜状態に形成されている。そのため、上記のようにスリーブ部１ｂの上部に配されることになるアーム状バネ片６ｃは、該アーム収納溝１ｂ１中に装入状態で配され、その先端部は、該導入口１ｂ２を通じて若干プラグ挿入孔２中に進入し、その下面側の接触部６ｄを該プラグ挿入孔２中に向けた状態に配置することになる。
【００３３】
以下、前記ジャックハウジング１のハウジング本体１ａに配される前記チップバネ３、前記リングバネ４及び前記第２スリーブバネ５について略述する。
【００３４】
前記第２スリーブバネ５から説明する。この第２スリーブバネ５は、図４に示すように、板状の基部５ａと、その下端（図４(c)中の下端）から直角に外方に突出させた端子５ｂと、該基部５ａの中央付近から該端子５ｂと反対側に円弧状に突出させた板状の接触部５ｃとを備え、導電性部材で一体に構成したものである。
【００３５】
この第２スリーブバネ５は、図１(a)、(d)、(e)、(f)及び図２(a)〜(d)に示すように、ハウジング本体１ａの前部側に配して、該接触部５ｃをプラグ挿入孔２中に臨ませる。これは、同図に示すように、その基部５ａをハウジング本体１ａの右側（プラグ挿入孔２を正面から見た場合）前部の位置に形成したスリットに圧入し、その接触部５ｃをプラグ挿入孔２中に面した状態とすることにより構成する。このとき、同時に前記端子５ｂは、ハウジング本体１ａの右下端から側方に突出した状態となる。
【００３６】
前記リングバネ４は、図５(a)〜(e)に示すように、板状の基部４ａと、その下端の一部から外方に直角に張り出した端子４ｂと、該基部４ａの上部一端から該端子４ｂとは反対側側方に斜めに延長した腕状バネ片４ｃと、その先端付近を該端子４ｂと反対側に湾曲膨出させた接触部４ｄとを備え、導電性部材で一体に構成したものである。
【００３７】
このリングバネ４は、図１(a)、(b)、(c)、(e)、(f)及び図２(a)、(b)に示すように、ハウジング本体１の左側部後方から中間付近に配し、その接触部４ｄをプラグ挿入孔２中に進入状態に位置させる。同図に示すように、前記基部４ａをハウジング本体１ａの左側（プラグ挿入孔２を正面から見た場合）後部の位置に形成したスリットに圧入し、その腕状バネ片４ｃを該ハウジング本体１ａ中の可動空間を通じて前方に延長すると、その先端の接触部４ｄは該プラグ挿入孔２中に進入状態となる。
【００３８】
図２(a)に示すように、該リングバネ４の基部４ａ及び腕状バネ片４ｃのプラグ挿入孔２側には、該基部４ａと平行に板状接片７が配してあり、プラグｐがプラグ挿入孔２に挿入されていない状態では、該腕状バネ片４ｃの接触部４ｄとの境界部が該板状接片７の前端の接触部７ａに接触状態となって、この状態を保持し、プラグｐが挿入されると、これによって外方に押し出され、該境界部は該接触部７ａから離脱するようになっている。なお該板状接片７の下端側には側方に突出する端子７ｂが構成してある。
【００３９】
前記チップバネ３は、図６(a)〜(c)に示すように、長方形状の基部３ａと、その下端の一部から外方に直角に突出させた端子３ｂと、該基部３ａの内側の前端から該端子３ｂとは反対側側方に斜めに延長した腕状バネ片３ｃと、その先端途中を該端子３ｂと反対側に湾曲膨出させた接触部３ｄと、該接触部３ｄより先端側で同方向に半球状に膨出させた接点部３ｅとを備え、導電性部材で一体に構成したものである。
【００４０】
このチップバネ３は、図１(a)、(b)、(d)、(e)、(f)及び図２(a)、(b)、(c)に示すように、ハウジング本体１の右側後部から右側前側部間に配し、その接触部３ｄをプラグ挿入孔２中に進入状態に位置させる。同図に示すように、前記基部３ａをハウジング本体１ａの右側（プラグ挿入孔２を正面から見た場合）前後間に形成したスリットに圧入し、その腕状バネ片３ｃを前部側から該ハウジング本体１ａ中の可動空間を通じて後方に延長状態に配すると、その先端途中の接触部３ｄは該プラグ挿入孔２中に進入状態となり、先端側の接点部３ｅは、後記板状接片８の接触部８ａに接触状態となる。
【００４１】
図２(a)に示すように、該チップバネ３の基部３ａの後部側に対面するプラグ挿入孔２側には、該基部３ａと平行に前記板状接片８が配してあり、プラグｐがプラグ挿入孔２に挿入されていない状態では、該腕状バネ片３ｃの先端側の接点部３ｅが該板状接片８の前端の接触部８ａに接触状態となって、この状態を保持し、プラグｐが挿入されると、これによって外方に押し出され、該接点部３ｅは該接触部８ａから離脱するようになっている。なお該板状接片８の下端側には側方に突出する端子８ｂが構成してある。
【００４２】
なお、以上のチップバネ３、リングバネ４及び第２スリーブバネ５のそれぞれの接触部３ｄ、４ｄ、５ｃは、プラグｐをジャックハウジング１のプラグ挿入孔２に所定の深さ一杯に挿入した状態で、それぞれ対応するチップ電極、リング電極、第２スリーブ電極に圧接状態になる位置関係になるように配されているのは云うまでもない。また前記スリーブバネ６の接触部６ｄが、同様に挿入されたプラグｐのスリーブ電極に圧接状態となる位置関係にあるのも云うまでもない。
【００４３】
従ってこの実施例の４極ジャックによれば、そのプラグ挿入孔２に対応する４極のプラグｐを挿入し、順次、その先端のチップ電極又はこれに引き続く電極で、進出している接触部３ｄ等を外方に後退させながら進入し、これを所定の深さまで一杯に挿入すると、先端のチップ電極はチップバネ３の接触部３ｄに、２番目のリング電極はリングバネ４の接触部４ｄに、３番目の第２スリーブ電極は第２スリーブバネ５の接触部５ｃに、そして後端のスリーブ電極はスリーブバネ６の接触部６ｄに、それぞれ接触状態となり、相互は電気的に接続状態となる。
【００４４】
このとき、前記チップバネ３は、その接触部３ｄがプラグｐに外方に押されて後退することにより、その接点部３ｅが前記板状接片８の前端の接触部８ａから離脱し、電気的な接続が解除されることとなる。また前記リングバネ４も、同様に、その接触部４ｄがプラグｐに外方に押されて後退することにより、その腕状バネ片４ｃとの境界部が前記板状接片７の接触部７ａから離脱し、ここでもその電気的な接続が解除されることになる。
【００４５】
こうしてこの４極のジャックは、ジャックとしての基本的な機能である電気的な接続又は接続解除を良好に行うことができるものである。特に前記スリーブバネ６は、その重要な部分の多くをジャックハウジング１のスリーブ部１ｂに形成したものであるが、プラグｐのスリーブ電極との電気的な接続をスムーズかつ確実に行うことができるものである。
【００４６】
該スリーブバネ６は、プラグｐがプラグ挿入孔２に挿入された際に、その接触部６ｄが該プラグｐのスリーブ電極によって外方に押されて後退することになるが、該接触部６ｄは、前記基部６ａから延長されたアーム状バネ片６ｃの先端に構成されたものであり、かつ該アーム状バネ片６ｃはスリーブ部１ｂの一方の側上部から他方の側上部まで延長した十分な長さを確保したものであるため、前記の後退動作は弾力的に良好に行われることができる。またこのスリーブバネ６は適切な弾力性を有するバネ材で構成したものであり、該接触部６ｄは適切なバネ圧でプラグｐのスリーブ電極に接することができる。
【００４７】
前記アーム状バネ片６ｃは、前記のように、プラグｐがプラグ挿入孔２に挿入されて接触部６ｄを後退動作させると、これにともなって外方に後退し、プラグｐが抜き取られると、そのバネ力によって復帰動作し、その接触部６ｄを原位置まで復帰させる。こうしてアーム状バネ片６ｃはスリーブ部２の径方向に若干進退動作することとなるが、その動きは小さく、かつ該アーム状バネ片６ｃはスリーブ部２に形成したアーム収納溝１ｂ１中に収納したものであるため、その動作により近接する外部の物品類と干渉を生じるような虞はない。
【００４８】
またこの実施例の４極ジャックは、前記のように、そのスリーブバネ６のアーム状バネ片６ｃ及びその先端の接触部６ｄをジャックハウジング１のスリーブ部１ｂに配し、ハウジング本体１ａ側に配する要素を減少させたため、ハウジング本体１ａの厚み方向或いは幅方向の寸法を低減させ、コンパクトな構成となし得たものである。またスリーブバネ６のアーム状バネ片６ｃをスリーブ部１ｂの上部に周方向に沿って形成したアーム収納溝１ｂ１中に収納したため、一層ジャックハウジング１の小型化・薄型化を図り得ることとなったものである。
【図面の簡単な説明】
【００４９】
【図１】(a)は実施例のジャックの正面図、(b)は背面図、(c)は左側面図、(d)は右側面図、(e)は平面図、(f)は底面図。
【図２】(a)は図１(d)のＡ−Ａ線断面図、(b)は図１(e)のＢ−Ｂ線断面図、(c)は図１(f)のＣ−Ｃ線断面図、(d)は図１(d)のＤ−Ｄ線断面図。
【図３】(a)は実施例のスリーブバネの正面図、(b)は左側面図、(c)は右側面図、(d)は平面図、(e)は底面図、(f)は(b)のＥ−Ｅ線断面図。
【図４】(a)は実施例の第２スリーブバネの正面図、(b)は右側面図、(c)は底面図。
【図５】(a)は実施例のリングバネの正面図、(b)は左側面図、(c)は右側面図、(d)は底面図、(e)は(b)のＦ−Ｆ線断面図。
【図６】(a)は実施例のチップバネの正面図、(b)は右側面図、(c)は底面図。
【符号の説明】
【００５０】
１    ジャックハウジング
１ａ  ハウジング本体
１ａ１  スリット
１ｂ  スリーブ部
１ｂ１  アーム収納溝
１ｂ２  導入口
１ｂ３  スリット
２    プラグ挿入孔
３    チップバネ
３ａ  基部
３ｂ  端子
３ｃ  腕状バネ片
３ｄ  接触部
３ｅ  接点部
４    リングバネ
４ａ  基部
４ｂ  端子
４ｃ  腕状バネ片
４ｄ  接触部
５    第２スリーブバネ
５ａ  基部
５ｂ  端子
５ｃ  接触部
６    スリーブバネ
６ａ  基部
６ｂ  端子
６ｃ  アーム状バネ片
６ｄ  接触部
６ｅ  固定舌片
７    板状接片
７ａ  接触部
７ｂ  端子
８    板状接片
８ａ  接触部
８ｂ  端子
ｐ    プラグ
【図１】
2005268067.tif 000003
【図２】
2005268067.tif 000004
【図３】
2005268067.tif 000005
【図４】
2005268067.tif 000006
【図５】
2005268067.tif 000007
【図６】
2005268067.tif 000008